(57)【要約】【課題】破損した場合でも取替え可能な固定具を備えた成形容易な組み立て式コンテナを提供することを目的とする。【解決手段】スリーブ２に面ファスナを有する紐部材４が取り付けられており、パレット１に紐部材４を挿通させるための挿通穴１２が形成されており、紐部材４を挿通穴１２に挿通させ折り返して紐部材４に掛止させることによりスリーブ１とパレット２とを固定した組み立て式コンテナ。また、紐部材４がリング部材６を介してスリーブ２に取り付けられる組み立て式コンテナ。【選択図】図１
2008056257.tif 000002
【特許請求の範囲】
【請求項１】
底を形成するパレットと、該パレットの周縁部に設けられた溝部に嵌合し側壁を形成するスリーブと、該スリーブ上に載置される蓋部とからなる組み立て式コンテナにおいて、
前記スリーブに面ファスナを有する紐部材が取り付けられており、
前記パレットに前記紐部材を挿通させるための挿通穴が形成されており、
前記紐部材が前記挿通穴に挿通され、折り返されて前記紐部材同士が面ファスナにより係止されることによりスリーブとパレットとが固定されることを特徴とする組み立て式コンテナ。
【請求項２】
前記紐部材がリング部材を介してスリーブに取り付けられることを特徴とする請求項１記載の組み立て式コンテナ。
【請求項３】
前記紐部材が取り付け具を介してスリーブに取り付けられることを特徴とする請求項１記載の組み立て式コンテナ。
【請求項４】
底を形成するパレットと、該パレットの周縁面に設けられた溝部に嵌合し側壁を形成するスリーブと、該スリーブ上に載置される蓋部とからなる組み立て式コンテナにおいて、
前記スリーブに面ファスナを有する紐部材が取り付けられており、
前記パレットにリング部材が取り付けられており、
前記紐部材が前記リング部材に挿通され、折り返されて前記紐部材同士が面ファスナにより係止されることにより、前記スリーブと前記パレットとが固定される
ことを特徴とする組み立て式コンテナ。
【請求項５】
前記紐部材がリング部材を介してスリーブに取り付けられていることを特徴とする請求項４記載の組み立て式コンテナ。
【請求項６】
前記紐部材が取り付け具を介してスリーブに取り付けられることを特徴とする請求項４記載の組み立て式コンテナ。
【発明の詳細な説明】
【技術分野】
【０００１】
本発明は組み立て式コンテナに関し、更に詳しくは、スリーブ表面にパレットとスリーブとを固定するための固定手段が取り付けられた組み立て式コンテナに関する。
【背景技術】
【０００２】
従来、貨物の輸送に際して底を形成するパレットと、該パレットの周縁部に形成された溝に載置されて側壁をなすスリーブと、該スリーブの上に載置される蓋部とからなる組み立て式コンテナが用いられている。
【０００３】
このような従来の組み立て式コンテナには、輸送中に組み立て式コンテナに加わった衝撃等によってパレットとスリーブとが外れないよう固定するために、両者間に固定機構が備えられている。
【０００４】
例えば、特許文献１に記載されているように、パレット３００に形成された溝部の側壁から水平方向に棒爪１００を突出させ、該棒爪１００がスリーブ２００に形成された受け口２０１に差し込まれることで、スリーブ２００とパレット３００とが固定される機構である。
【０００５】
このスリーブ２００の固定機構では、一旦突出させた棒爪１００が安易に受け口２０１から抜脱しないように、棒爪１００の基部に図８に示すようなつまみ部１０１が突出形成されている。
すなわち、このつまみ部１０１が摺動する移動路３０１には一部が狭められた狭壁部が形成されており、そのため、つまみ部１０１を強く移動させて棒爪１００が受け口２０１に一旦差し込まれた後は、棒爪１００に一定以上の力が加わらない限り受け口２０１から容易に離脱するようなことがなない。
【特許文献１】特表平６−５０４７４９号公報
【発明の開示】
【発明が解決しようとする課題】
【０００６】
しかし、上記固定機構で固定する組み立て式コンテナを長期間に渡って繰り返し使用すると、移動路３０１の狭壁部は磨耗して徐々にその幅が拡大する。
その結果、僅かな衝撃により棒爪１００が移動して（すなわちパレット内に収納される方向に移動して）受け口２０１から抜脱し、不用意にもパレットとスリーブとの固定が外れることがある。
【０００７】
通常、移動路３０１はパレットと一体成形されているため、狭壁部は磨耗した場合移動路３０１のみの取替えは不可能であり、新しいパレットと交換しなければならず不経済である。
【０００８】
また、上記棒爪１００はパレット３００の移動路３０１に沿って摺動自在な状態で内部に配設される構造であるためパレット自体のこの部分の構造が複雑となる。
【０００９】
特にパレットを、金型を用いて成形しようとした場合は、アンダーカット等により金型形状が複雑となるため製造コスト的な負担も大きい。
更には、このような棒爪１００は水平方向に直線移動してスリーブ２００の受け口２０１に入るような構造であるために、パレット３００とスリーブ２００とが固定された状態では棒爪１００は常に曲げ力を受けていることとなる。
そのため、コンテナに衝撃等が加わってパレット３００とスリーブ２００とが離間する方向に力が加わると棒爪１００が曲がることがある。
【００１０】
このようになると棒爪１００と受け口２０１との位置決めが難しくなり、以後、受け口２０１への差し込みに支障が生じて、固定操作が困難となる。
また棒爪１００と受け口２０１との挿脱を繰り返しているうちに、受け口２０１が磨耗等により大きくなりパレット３００とスリーブ２００の間にガタが生じることがある。
一旦ガタが生じると、以後、固定力を増す修正できなくなる。
以上のように、棒爪１００の爪部材を使った固定構造では、磨耗等が生じ易くパレット３００とスリーブ２００との間にガタが生じたり、爪部材が抜脱したりする欠点があり、また一旦このような欠点が生じると修正ができない。
【００１１】
本発明は以上の課題を解決すべく開発されたものである。
すなわち、パレット構造の磨耗等が生じにくく且つ常にパレットとスリーブの確実な固定が可能な組み立て式コンテナを提供することを目的とする。
【課題を解決するための手段】
【００１２】
本発明者は、以上のような課題背景をもとに鋭意研究を重ねた結果、面ファスナを有する屈曲可能な紐部材を使ってスリーブとパレットとを固定させることにより、上記の課題を解決できることを見出し、その知見に基づいて本発明を完成させたものである。
【００１３】
すなわち本発明は（１）、底を形成するパレットと、該パレットの周縁部に設けられた溝部に嵌合し側壁を形成するスリーブと、該スリーブ上に載置される蓋部とからなる組み立て式コンテナにおいて、前記スリーブに面ファスナを有する紐部材が取り付けられており、前記パレットに紐部材を挿通させるための挿通穴が形成されており、前記紐部材が前記挿通穴に挿通され、折り返されて前記紐部材同士が面ファスナにより係止されることによりスリーブとパレットとが固定される組み立て式コンテナに存する。
【００１４】
また本発明は、（２）前記紐部材がリング部材を介してスリーブに取り付けられる上記（１）記載の組み立て式コンテナに存する。
【００１５】
また本発明は、（３）前記紐部材が取り付け具を介してスリーブに取り付けられる上記（１）記載の組み立て式コンテナに存する。
【００１６】
また本発明は、（４）底を形成するパレットと、該パレットの周縁面に設けられた溝部に嵌合し側壁を形成するスリーブと、該スリーブ上に載置される蓋部とからなる組み立て式コンテナにおいて、前記スリーブに面ファスナを有する紐部材が取り付けられており、前記パレットにリング部材が取り付けられており、前記紐部材が前記リング部材に挿通され、折り返されて前記紐部材同士が面ファスナにより係止されることにより、前記スリーブと前記パレットとが固定される組み立て式コンテナに存する。
【００１７】
また本発明は、（５）前記紐部材がリング部材を介してスリーブに取り付けられている上記（４）記載の組み立て式コンテナに存する。
【００１８】
また本発明は、（６）前記紐部材が取り付け具を介してスリーブに取り付けられる上記（４）記載の組み立て式コンテナに存する。
なお、本発明の目的に添ったものであれば上記（１）から（６）を適宜組み合わせた構成も採用可能である。
【発明の効果】
【００１９】
本発明の組み立て式コンテナは、スリーブに面ファスナを有する紐部材が取り付けられており、パレットに紐部材を挿通させるための挿通穴が形成されているので、両者の固定構造が極めて簡単である。
しかも、紐部材が挿通穴に挿通され、折り返されて、紐部材に係止されることによりスリーブがパレットから外れることを防止するので、紐部材の引っ張り力を変えることで固定力を調整することができる。
更に、本発明に係る組み立て式コンテナの使用中に、紐部材の固定力が弱まったとしても、紐部材を係止し直すことでその都度元の固定力に戻すことができる。
【００２０】
また、紐部材は取替え自在にスリーブに取り付けられているので、破損等で使用不可能になった場合でも、従来のようにパレット自体を取り替える必要はなく紐部材だけを交換すればよい。
【００２１】
また、パレットやスリーブに特段複雑な固定構造を必要としないために、パレット等の成形も容易であり金型等も複雑とならなくまた経済的である。
【発明を実施するための最良の形態】
【００２２】
〔第一の実施形態〕
本発明の一実施形態について図面を用いて説明する。
図１は、紐部材が取り付けられた組み立て式コンテナを概略的に示した斜視図である。
図に示すように、本実施形態に係る組み立て式コンテナＡは、底を形成するパレット１と、該パレットの周縁面に形成された図示しない溝部に載置され、上記組み立て式コンテナＡの側壁をなすスリーブ２と、スリーブ上に載置される蓋部３とよりなる。
そして、スリーブに取り付けられた紐部材４を使ってパレット１とスリーブとは固定される。
【００２３】
パレット１は、フォークリフトのフォークが挿入されるための空間Ｓを形成する脚部１１を備える。
脚部１１によって地面とパレット１との間に空間Ｓが形成され、該空間Ｓにフォークが容易に挿入される。
本実施形態に係る組み立て式コンテナＡを移動させる際には、上記空間Ｓにフォークを挿入し、パレットごと上記組み立て式コンテナ全体を持ち上げて移動させる。
【００２４】
スリーブ２は、パレット１の周縁部に形成された溝部に直立した状態で嵌合載置され、内部に貨物の収納空間を形成する。
スリーブ２は、その高さを大きくすることで組み立て式コンテナＡ自体の容量を増加させることができ、逆にその高さを小さくすることで組み立て式コンテナＡ自体の容量を小さくすることができる。
【００２５】
なお、スリーブ２の材質としては、組み立て式コンテナＡ自体の重量を軽くするためにダンボール紙や合成木材、プラスチック材等が用いられる。
【００２６】
また、ダンボール紙製のスリーブの場合、折り畳み自在であるために、保管に便利である。
また蓋部３にはパレット１と同様に周縁部に溝部が形成されており、該溝部にスリーブ２が嵌合することで安定支持される。
【００２７】
次にパレットとスリーブの固定手段について述べると、パレット１の溝部の側壁には後述する紐部材４を挿通させるための挿通穴１２が形成されている。
この挿通穴１２に紐部材４を挿通させ、該紐部材４を折り返して引出し、紐部材４自体に係止させることで、パレット１とスリーブ２とが固定される。
【００２８】
パレット１とスリーブ２とを固定するための固定手段である紐部材が、両者とは別体で屈曲自在な長尺状のもので、且つ紐部材自体によりパレット１とスリーブ２とを固定するため、複雑な固定手段をパレット１とスリーブ２に組み込む必要がない。
そのため、パレット１やスリーブ２に複雑な加工を施す必要がなく製造コストも低減する。
【００２９】
ここで紐部材４について述べると、紐部材４はパレット１とスリーブ２とを固定するものであり、その表面に面ファスナを有する。
そして、スリーブ２に取り付けられた紐部材４をパレット１の挿通穴１２に挿通させ折り返して引出し、紐部材自体に係止させることでスリーブ２とパレット１とを固定する。
【００３０】
紐部材４は紐部材４が破損や磨耗等が原因で使用不可能になった場合でも容易に交換することができる。
従って、本実施形態に係る組み立て式コンテナは、従来の組み立て式コンテナのようにパレットとスリーブとを固定する固定手段が破損等したことによって、パレットを新しいものと交換する必要がなく経済的である。
【００３１】
図２は、紐部材とスリーブとによる固定手段の例を模式的に示した断面図である。
図２（ａ）は、パレット１とスリーブ２とを固定する前の状態を示す。
この場合、紐部材４はスリーブ２に設けられた二つのスリットに、取り付け具５を介した状態で取り付けられ、紐部材４は二股状にして垂らした状態となっている。
【００３２】
なお、取り付け具５にはスリーブ２よりも滑りにくい材質が用いられ、紐部材４をスリーブ２に引っ掛ける際に、取り付け具５を間に介することで、紐部材４は取り付け具５を介さない場合よりも該紐部材４の保持状態が良くなる。
【００３３】
いまパレット１とスリーブ２とを固定する場合は、図２（ａ）に示す状態から、図２（ｂ）に示すように、紐部材４の一方の端部を挿通穴１２に挿通させて折り返して引出し、紐部材４同士を面ファスナにより係止させる。
紐部材４同士を係止させることで、パレット１とスリーブ２とが強く圧接した状態となり、パレット１とスリーブ２とは確りと固定される。
【００３４】
〔第２の実施の形態〕
図３は紐部材４とスリーブとによる固定手段の他の例を模式的に示した断面図である。
この実施の形態は、第１の実施の形態と異なりパレット１にリング部材６が取り付けられる。
ここでリング部材６は、図４に示すように、基部６Ｂと該基部に回動自在なリング６Ａとを備える。
リング部材６の基部６Ｂはパレット１の壁面に固定（接着や螺子固定等）されており、該リング部材６に紐部材４の端部が固定される。
【００３５】
図３（ａ）は、パレット１とスリーブ２とを固定する前の状態で、紐部材４は二股状に垂らした状態となっている。
パレット１とスリーブ２とを固定する場合は、図３（ｂ）に示すように紐部材４の一方の端部をリング部材６に通して折り返して引き出し、紐部材４同士を面ファスナにより係止させる。
紐部材４同士を係止させることで、パレット１とスリーブ２とが強く圧接した状態となり、パレット１とスリーブ２とは確りと固定される。
【００３６】
〔第３の実施の形態〕
図５は紐部材とスリーブとによる固定手段の他の例を模式的に示した断面図である。
図５（ａ）は、パレット１とスリーブ２とを固定する前の状態を示す。
この場合、紐部材４はスリーブ２に設けられた二つのスリットを通してリング部材６を介した状態で取り付けられている。
すなわち、紐部材の一方の端部はリング部材６に取り付けられ、紐部材４のもう一方の端部はスリーブ２に設けられた上側のスリットに、スリーブの表側から通され、さらに該端部は下側のスリットにスリーブ２の裏側から通され、スリーブ２の外側に垂らされた状態である。
ここでリング部材６は、前述した図４に示すように、基部６Ｂと該基部に回動自在なリング６Ａとを備える。
リング部材６の基部６Ｂはスリーブ２の壁面に固定（接着や螺子固定等）されており、該リング部材６に紐部材４の端部が取り付けられている。
いまパレット１とスリーブとを固定する際は、図５（ｂ）に示すように紐部材４の端部をパレット１の挿通穴１２に挿通させて折り返して引き出し、紐部材４同士を面ファスナにより係止させる。
この場合も紐部材同士を係止させることで、パレット１とスリーブ２とが強く圧接した状態となり、パレット１とスリーブ２とは確りと固定される。
【００３７】
〔第４の実施の形態〕
図６は紐部材とスリーブとによる固定手段の他の例を模式的に示した断面図である。
この実施の形態は、第３の実施の形態と異なり、パレット１にリング部材６が取り付けられている。図６（ａ）は、パレット１とスリーブ２とを固定する前の状態を示す。  
ここでリング部材６は、前述した図４に示すように、基部６Ｂと該基部に回動自在なリング６Ａとを備える構造のものである。
【００３８】
パレット１とスリーブ２とを固定する際は、図６（ｂ）に示すように紐部材４の端部をパレット１の挿通穴１２に挿通させて折り返して引き出し、紐部材同士を面ファスナにより係止させる。
この場合も、紐部材同士を係止させることで、パレット１とスリーブ２とが強く圧接した状態となり、パレット１とスリーブ２とは確りと固定される。
【００３９】
以上述べたような紐部材を使ったパレット１とスリーブ２との固定手段において、それを備える位置はコンテナの仕様により適宜設定される。
図７は紐部材のスリーブへの取り付け位置を示した模式図である。
紐部材の取り付け位置は、例えば図７（Ａ）に示すようにスリーブの向かい合う一対の壁面に形成したり、より強固にスリーブを固定するために、図７（Ｂ）に示すようにスリーブの４つの壁面の全てに紐部材を形成したりすることもできる。
更に、図７（Ｃ）に示すように、スリーブの向かい合う一対の壁面の複数位置（２箇所）に形成することで可能である。
【００４０】
以上、本発明を説明してきたが、本発明は実施の形態に限定されることなく種々の変形例が可能である。
例えば、紐部材のスリーブに対する取り付け方法は、直接、スリーブにリベット等の固着具によって取り付ける場合も採用可能である。
【図面の簡単な説明】
【００４１】
【図１】図１は、紐部材が取り付けられた組み立て式コンテナを概略的に示した斜視図である。
【図２】図２は、紐部材とスリーブとによる固定手段の例を模式的に示した断面図である。
【図３】図３は、紐部材４とスリーブとによる固定手段の他の例を模式的に示した断面図である。
【図４】図４は、リング部材６を拡大して示す図である。
【図５】図５は、紐部材とスリーブとによる固定手段の他の例を模式的に示した断面図である。
【図６】図６は、紐部材とスリーブとによる固定手段の他の例を模式的に示した断面図である。
【図７】図７は紐部材のスリーブへの取り付け位置を示した模式図である。
【図８】図８は、従来のパレットのつまみ部周辺を模式的に示した図である。
【符号の説明】
【００４２】
１…パレット
１１…脚部
１２…挿通穴
２…スリーブ
３…蓋部
４…紐部材
５…取り付け具
６…リング部材
６Ａ…リング
６Ｂ…基部
Ｔ…取手部
【図１】
2008056257.tif 000003
【図２】
2008056257.tif 000004
【図３】
2008056257.tif 000005
【図４】
2008056257.tif 000006
【図５】
2008056257.tif 000007
【図６】
2008056257.tif 000008
【図７】
2008056257.tif 000009
【図８】
2008056257.tif 000010